(57)【要約】  （化粧料のローディングに適合する）非成形の繊維ブラシが取り付けられた（グルーミングに適合する）成形ブラシを備えるマスカラアプリケータ。成形ブラシは、相対的により硬く、より可撓性が小さい、射出成形された毛を含む一方、非成形ブラシは、相対的により柔軟で、より可撓性が大きい繊維毛を含む。【選択図】図７Ｂ
2019517351.tif 000002
【特許請求の範囲】
【請求項１】
成形ブラシ部分（１４）及び非成形ブラシ部分（１５）を備える化粧料アプリケータヘッド（１３）であって、
前記成形ブラシ部分（１４）は、
ステム（１４ａ）であって、
近位端（１４ｂ）と、
遠位端（１４ｃ）と、
前記ステムの前記遠位端及び前記ステムの側壁（１４ｅ）へ開口する中空空間（１４ｄ）と、を有する、ステム（１４ａ）と、
本体（１４ｆ）であって、
前記ステム（１４ａ）の前記遠位端（１４ｃ）に接続する開口した近位端（１４ｈ）と、
溝（１４ｋ）を有する閉口した遠位端（１４ｉ）と、
中空空間（１４ｊ）を画定する半円筒状部材（１４ｇ）であって、それにより、前記本体の前記中空空間（１４ｊ）が前記ステムの前記中空空間（１４ｄ）と連接するようになっている、半円筒状部材（１４ｇ）と、を有する、本体（１４ｆ）と、を備え、
前記半円筒状部材（１４ｇ）は、およそ１８０°〜２００°の角度空間を占め、
前記半円筒状部材（１４ｇ）の外側表面は、前記本体の前記閉口した遠位端（１４ｉ）と同じく、毛（１４ｌ）の群を備え、
前記ステム（１４ａ）の前記側壁（１４ｅ）は、毛を有さず、
前記非成形ブラシ部分（１５）は、
繊維毛（１５ｅ）の群を支持するツイスト線芯（１５ａ）であって、毛を有さない近位端（１５ｂ）及び遠端部（１５ｃ）を有する、ツイスト線芯（１５ａ）を備え、
前記繊維毛（１５ｅ）の群は、およそ１６０°〜１８０°の角度空間を占める半円筒状の毛のエンベロープを画定し、
前記非成形ブラシ部分（１５）の前記ツイスト線芯（１５ａ）は、成形ブラシ部分（１４）の前記中空空間（１４ｊ）に据えられ、
前記ツイスト線芯（１５ａ）の前記遠位端（１５ｃ）は、前記成形ブラシ部分（１４）の前記溝（１４ｋ）に据えられ、
前記ツイスト線芯（１５ａ）の前記近位端（１５ｂ）は、前記成形ブラシ部分（１４）の前記中空空間（１４ｄ）に据えられている、化粧料アプリケータヘッド（１３）。
【請求項２】
前記半円筒状部材（１４ｇ）の前記毛（１４ｌ）は、４〜１０列存在し、各列は、５〜５０本の毛を有する、列（１４ｐ）をなして配置されている、請求項１に記載の化粧料アプリケータヘッド（１３）。
【請求項３】
前記成形ブラシ部分（１４）の前記閉口した遠位端（１４ｉ）は、成形された毛（１４ｌ）の群を備える、請求項１に記載の化粧料アプリケータヘッド（１３）。
【請求項４】
毛を有さない前記ツイスト線芯（１５ａ）の前記遠位端（１５ｃ）の長さは、２ｍｍ〜５ｍｍであり、毛を有さない前記ツイスト線芯の前記近位端（１５ｂ）の長さは、３ｍｍ〜６ｍｍである、請求項１に記載の化粧料アプリケータヘッド（１３）。
【請求項５】
前記ステム（１４ａ）の前記中空空間（１４ｄ）は、前記非成形ブラシ部分（１５）の前記近位端（１５ｂ）を前記ステムの前記中空空間内に押し込ませるが、前記中空空間からのその偶発的な係脱を防止する１つ以上の可撓性（１４ｍ）タブが設けられている、請求項１に記載の化粧料アプリケータヘッド（１３）。
【請求項６】
ハンドル（１１）と、延伸ロッド（１２）と、前記ロッドの前記遠位端（１２ａ）からたれ下がる、請求項１に記載のアプリケータヘッド（１３）と、を備える、化粧料アプリケータ。
【発明の詳細な説明】
【技術分野】
【０００１】
本発明は、化粧料アプリケータの分野、具体的には、睫毛をメイクアップするために非成形繊維ブラシと成形ブラシとを組み合わせたヘア製品アプリケータの分野に関する。
【背景技術】
【０００２】
眉毛又は睫毛などの顔の毛用の化粧料アプリケータは、ローディング及びグルーミングと称する２つの主要な機能を果たさなければならない。ローディングは、アプリケータが適用量の製品を取り、睫毛などの塗布面に適用量の製品を載置することを意味する。その後、睫毛のグルーミングに同じ化粧料アプリケータを使用することが一般的である。第１の工程であるローディングは、ボリューム増大効果を生成するのに対して、第２の工程であるグルーミングは、睫毛の上で製品を均一に均すことと、個々の睫毛を分離することと、睫毛をカールさせることと、及び／又は長くする効果を生成することと、を含み得る。また、製品をローディングする機能は、毛をグルーミングする機能とは異なるため、単一の化粧料アプリケータで両方の機能を十分に果たせない場合がある。例えば、マスカラを取り、睫毛にマスカラを載置する際に、相対的により柔軟な毛が良好であることが知られているが、これらの毛は、睫毛の上で製品を効率よく均し、マスカラの群れを潰し、睫毛を分離又はカールさせるには、弱すぎる傾向がある。このような状況を、製品の載置と毛のグルーミングとに別個のアプリケータを使用することによって解決しようとする場合がある。前者は、より柔軟で、より可撓性が大きい毛を有するブラシとなる傾向があり、後者は、比較的剛性がある毛又は歯を有するブラシ又は櫛となり得る。
【０００３】
塗布工程及びグルーミング工程を行うために別個の用具を使用しなければならない不都合を回避するために、一方のタイプが比較的柔軟で可撓性を有し、他方のタイプが柔軟性及び可撓性に劣る、少なくとも２つの異なるタイプの毛を備えたアプリケータヘッドを有するアプリケータを作成することが知られている。両方の長所を得ることを期待して、アプリケータヘッドにわたって複数種類の毛を混ぜ合わせる場合がある。あるいは、アプリケータヘッドを、各ゾーンが１種類の毛を有するゾーンに分割することも知られている。例えば、米国特許第７，２３１，９２６号は、塗布ブラシ部及び整え用ブラシ部を備えたマスカラアプリケータを開示している。最も近い先行技術であるとみなされる米国特許第７，２３１，９２６号を説明する。
【０００４】
図１〜図３を参照すると、米国特許第７，２３１，９２６号のアプリケータは、グリップ（６）と、グリップから延在するロッド（２）と、ロッド（２）からたれ下がる「固定台」（４０）と、を備える。整え用ブラシ部（又は櫛４）は、固定台（４０）から放射状に広がる１つ以上の射出成形された歯の１つ以上の列として実装されている。塗布ブラシ部（３）は、ツイスト線材（２１）から放射状に広がる毛からなる塗布部分（７）を含み、「嵌合孔」（４２）と「嵌合凹部」（４３）との間のスペースを占め得る。塗布ブラシ部が「嵌合孔」と「嵌合凹部」との間の空間に嵌合するために、塗布ブラシ部には、毛を有さない３０°〜１２０°の角度部（３１）が設けられている（図３参照）。
【０００５】
米国特許７，２３１，９２６号の図２及び説明から、ツイスト線材（毛付き）の遠位端は、嵌合凹部（４３）に据えられるまで、嵌合孔（４２）を通って挿通されることが明らかである。このアセンブリの様式は、ある不具合を引き起こす。例えば、塗布部分（７）の繊維毛は、「嵌合孔」（４２）と「嵌合凹部」（４３）との間の空間の全長に延在することができない。むしろ、隙間が存在する（図１参照）。隙間は、嵌合孔（４２）に毛が付着した状態にならないことを確実にするために必要である。実際、嵌合孔（４２）に毛が付着するのを回避するために、この隙間の寸法を繊維ブラシの半径以上の大きさにしなければならない。例えば、８ｍｍの全体径を有するブラシについて、隙間を最小４ｍｍとするべきであり、１０ｍｍの全体径を有するブラシについて、隙間を最小５ｍｍとするべきである。（なお、米国特許第７，２３１，９２６号の図１は、この問題を回避するために隙間がどの程度の大きさでなければならないと考えられるかを実際には反映していない。）しかし、このような大きな隙間によって、ある程度の不要な移動が生じるという異なる問題が発生し、塗布ブラシ部（３）が整え用ブラシ部内で往復スライドする可能性があり、ユーザの気を散らしたり、塗布プロセスを阻害したりする場合がある。米国特許第７，２３１，９２６号のアプリケータの設計は、他の欠点も有しており、これを次に検討する。
【０００６】
塗布ブラシ部（３）が固定台（４０）に組み付けられる様式は、塗布部分（７）の毛がアプリケータの先端まで延在することができないことを意味する。これは、目頭寄りにある睫毛にマスカラを塗布しようとするときの実際の不利な点である。
【０００７】
また、嵌合孔（４２）を通過するために、塗布部分（７）の毛は、比較的可撓性でなければならない。繊維毛は、十分に可撓性であることができるが、それでも、繊維毛が共に押し合って、嵌合孔を通過するときに、繊維毛が損傷しないという保証はない。
【０００８】
他の点では、塗布ブラシ部（３）を嵌合孔（４２）に挿通する必要性が、塗布部分（７）に制約を課す。一巻当たり密集した毛及び／又は多数の毛を有する塗布部分は、より損傷しやすく、したがって、当該塗布部分は避けられると考えられる。米国特許第７，２３１，９２６号の図２は、嵌合孔（４２）の径がツイスト線材（２１）の径に極めて近く、したがって、毛部分（７）がきつく締め付けられる。
【０００９】
また、上述したように、塗布ブラシ部（３）には、毛を有さない３０°〜１２０°の角度部（３１）が設けられている（図３参照）。結果として、整え用ブラシ部（４）の角度サイズが３０°〜１２０°に制限される。
【００１０】
したがって、二重機能を有する改善された化粧料アプリケータ、すなわち、化粧料塗布機能（すなわち、ローディング）と毛の整え機能（すなわち、グルーミング）との両方を果たすために使用することができる一方で、先行技術のアプリケータの上述した欠点を有さない、化粧料アプリケータに対するニーズが絶えず存在している。
【発明の概要】
【００１１】
本発明によれば、化粧料アプリケータのアプリケータヘッドは、（ローディングに適合する）非成形の繊維ブラシが取り付けられた（グルーミングに適合する）成形ブラシ部分を備える。成形ブラシ部分は、相対的により硬く、相対的により可撓性が小さい、射出成形された毛を含む一方、非成形ブラシ部分は、相対的により柔軟で、より可撓性が大きい繊維毛を含む。組み付けられたアプリケータヘッドは、目頭付近にある睫毛のグルーミングを容易にするように、相対的により硬い毛で覆われた遠位端を有する。合わせると、成形ブラシ部分と非成形ブラシ部分とは、３６０°全周を占める。成形ブラシ部分は、１８０°〜２００°の角度の扇形を占め、これは、米国特許第７，２３１，９２６号の整え用ブラシ部（４）の３０°〜１２０°よりも格段に大きい。非成形ブラシ部分は１６０°〜１８０°の角度の扇形を占める。成形ブラシ部分への非成形ブラシ部分のスナップ嵌合組み付け方法は、不要な遊びと共に２つのブラシ間の隙間に対する必要性を解消し、その結果、非成形ブラシ部分が成形ブラシ部分に対して往復スライドすることができない。
【図面の簡単な説明】
【００１２】
【図１】米国特許７，２３１，９２６号に開示された先行技術のアプリケータの図である。
【図２】米国特許７，２３１，９２６号に開示された先行技術のアプリケータの図である。
【図３】米国特許７，２３１，９２６号に開示された先行技術のアプリケータの図である。
【図４Ａ】本発明に係るマスカラアプリケータの図である。
【図４Ｂ】本発明に係るマスカラアプリケータの図である。
【図５Ａ】本発明に係るアプリケータヘッドの成形ブラシ部分の一実施形態の図である。
【図５Ｂ】本発明に係るアプリケータヘッドの成形ブラシ部分の一実施形態の図である。
【図６Ａ】本発明に係るアプリケータヘッドの非成形ブラシ部分の一実施形態の図である。
【図６Ｂ】本発明に係るアプリケータヘッドの非成形ブラシ部分の一実施形態の図である。
【図７Ａ】非成形ブラシ部分を成形ブラシ部分に組み付けている図である。
【図７Ｂ】非成形ブラシ部分を成形ブラシ部分に組み付けている図である。
【図８Ａ】本発明に係る組み立てられたアプリケータヘッドの図である。
【図８Ｂ】図８Ａのアプリケータヘッドの断面図である。
【発明を実施するための形態】
【００１３】
図４Ａ及び図４Ｂを参照すると、本発明に係るマスカラアプリケータは、ハンドル（１１）と、延伸ロッド（１２）と、アプリケータヘッド（１３）と、を備え、これらの要素は通常の関係にある。すなわち、ハンドルは、マスカラ製品の容器に対する閉囲部として作用する。典型的には、閉囲部は、閉囲部の内側表面に、ねじ付き容器に噛み合うためのねじ山（１１ａ）を有する。延伸ロッドは、ハンドルの内側表面に接続され、当該内側表面からたれ下がり、アプリケータヘッドは、ロッドの遠位端（１２ａ）からたれ下がっている。例えば、ロッドは、中空であってもよく、アプリケータヘッドのステム（１４ａ）をロッド内に受け入れることができる。ステムは、接着剤、溶接、摩擦嵌め、スナップ係合、ねじ係合又は任意の他の好適な保持手段によって、ロッド内に保持され得る。本発明に係るアプリケータヘッドは、成形ブラシ部分（１４）及び非成形部分（１５）という２つ主要部を有する。
【００１４】
成形ブラシ部分
図５Ａ及び図５Ｂを参照すると、成形ブラシ部分（１４）は、ステム（１４ａ）及び本体（１４ｆ）を含む。ステムは、近位端（１４ｂ）及び遠位端（１４ｃ）と、ステムの遠位端及びステムの側壁（１４ｅ）へ開口する中空空間（１４ｄ）と、を有する、概ね円筒状の部材として形成され得る。ステムの側壁は、毛又は他のグルーミング機構を有さず、また概して滑らかであるため、ステムは、上述したとおり、ロッド（１２）の遠位端（１２ａ）に結合することができる。
【００１５】
本体（１４ｆ）は、略半円筒状部材（１４ｇ）と、開口した近位端（１４ｈ）と、閉口した遠位端（１４ｉ）と、を含む。半円筒状部材（１４ｇ）は、本体の開口した近位端（１４ｈ）と、閉口した遠位端（１４ｉ）に位置する溝（１４ｋ）とに接続する中空空間（１４ｊ）を画定する（図８Ｂ参照）。図示のように、開口した近位端（１４ｈ）は、半円筒状部材の中空空間（１４ｊ）とステムの中空空間（１４ｄ）とが連接するように、ステム（１４ａ）の開口された遠位端（１４ｃ）に一体成形されている。半円筒状部材（１４ｇ）が略半円筒状であるというとき、半円筒状部材はおよそ１８０°〜２００°の角度空間を占めることを意味する。本体（１４ｆ）の遠位端（１４ｉ）は、長手方向軸線Ａ−Ａを中心に全周３６０°を占めるのに対して、近位端（１４ｈ）は、約２００°〜２７０°を占め得る。また、半円筒状部材（１４ｇ）は、閉口した遠位端（１４ｉ）に向かってテーパ状をなし得る。半円筒状部材の外側表面は、本体の閉口した遠位端（１４ｉ）と同じく、成形された毛（１４ｌ）の群を備えている。本体の近位端（１４ｈ）は、毛を備えてもよく、又は備えなくてもよい。
【００１６】
好ましくは、半円筒状部材（１４ｇ）の毛（１４ｌ）は、本体（１４ｆ）の長手方向軸線（Ａ−Ａ）に平行に半円筒状部材から下方へ延在する列（１４ｐ）をなして、規則的に配置されている。毛の各列は、典型的には５〜５０本、好ましくは１０〜４０本、より好ましくは２０〜３５本の毛を含み得る。例えば、図５Ａの半円筒状部材は、長手方向の列に２３本の毛を有する。半円筒状部材は、好ましくは４〜１０列の毛を含み得る。７、８又は９列の毛がより好ましい。例えば、図５Ｂにおいて、本体（１４ｆ）の半円筒状部材は、半円筒状部材に沿って長手方向に延在する９列の毛を有する。更に、好ましい実施形態において、半円筒状部材の毛（１４ｌ）は横列をなして規則的に配置され、各横列は、半円筒状部材の外周上に存在し、本体の長手方向軸線に対して垂直な平面内にある。
【００１７】
本体（１４ｆ）の半円筒状部材（１４ｇ）の毛（１４ｌ）は、典型的には本体の長手方向軸線から放射状に広がって延在し、単一の列における毛のすべてが互いに平行である。本体の遠位端（１４ｉ）の毛は、様々な方向に延在する。毛は、平坦な部分及び／又は丸みを帯びた部分を含んでもよく、毛の水平断面は、任意の考え得る形状であってもよく、本体を成形する技巧によって制限されるにすぎない。ただし、毛は、約１６０°から１８０°以下の範囲にある円弧を有する円の断片としての形状をなす水平断面を有することが好ましく、基部から先端に移るにつれて半径が減少する毛である。このような毛は、平坦面と曲面とからなる半円錐状の輪郭を有する。好ましくは、毛が、丸みを帯びた先端を有すると考えられる。各毛の残りの部分は、半円錐状の毛の曲面上に、１つ以上の窪み、１つ以上の突起又は両方を有する一方、平坦面はそのような特徴を有さない形状をなし得る。好ましくは、各半円錐状の毛は、当該毛の曲面上に位置する少なくとも２つの凹み及び／又は突起を有する。このような毛の製造は、米国特許第９，３２６，５９０号に記載されており、参照によってその全体が本明細書に援用されている。また、毛は、毛を平坦面から曲面へと貫通する１つ以上の孔を有し得る。このような毛の製造は、米国特許第９，３２６，５８４号に記載されており、参照によってその全体が本明細書に援用されている。図５Ｂにおいて確認できるように、成形ブラシ部分（１４）の成形された毛は、全て同じ高さである必要がない。
【００１８】
成形ブラシ部分（１４）を作成するのに本発明で使用することができる例示的な材料として、シリコーンエラストマー、熱可塑性エラストマー（例えば、スチレンエチレンブチレンスチレンブロック共重合体−ＳＥＢＳなど）、ビニルエラストマー（ＥＶＡ）、熱可塑性ポリエステルエラストマー（Ｄｕｐｏｎｔ  ｄｅ  Ｎｅｍｏｕｒｓ製のＨｙｔｒｅｌ（登録商標））、熱可塑性ポリウレタンエラストマー（Ｄｏｗ  Ｐｌａｓｔｉｃ製のＰｅｌｌｅｔｈａｎｅ（登録商標））、ニトリル、及びＥＰＤＭが挙げられるが、これらに限定されない。選択された材料の硬度は、約３５ＭＰａ（Ｄｕｐｏｎｔ  ｄｅ  Ｎｅｍｏｕｒｓ製の３５ショアＤのＨｙｔｒｅｌ（登録商標））〜約１１８０ＭＰａ（８２ショアＤのＨｙｔｒｅｌ（登録商標））の範囲が好ましい。一般に、硬く、可撓性が小さい材料ほど、厚みのあるマスカラ製品を広げ、引き伸ばし、睫毛を分離し、長くするように意図されている成形ブラシ部分（１４）により好適となる。
【００１９】
非成形ブラシ部分
図６Ａ及び図６Ｂを参照すると、非成形ブラシ部分（１５）は、螺旋状などの所定の配置の繊維毛（１５ｅ）の群を支持するツイスト線芯（１５ａ）を備える。ただし、ツイスト線芯の近位端（１５ｂ）及び遠端部（１５ｃ）は、毛を有さない。毛を有さない遠位端の長さは、約２〜５ｍｍであることが好ましい。毛を有さないツイスト線芯の近位端の長さは、約３〜６ｍｍであることが好ましい。図示のように、毛の群は、略１６０°〜１８０°の角度空間を占める略半円筒状の毛のエンベロープを画定する。この配置を実現するために、非成形ブラシ部分は、ツイスト線芯ブラシの通常の様式で形成され得るが、その後、１８０°〜２００°の角度を占める毛のすべてが、線芯に近接して整形されている。典型的には、線芯（１５ａ）は、０．５〜１ｍｍの径を有するステンレス鋼から形成され得る。非成形ブラシ部分（１５）の毛（１５ｅ）は、ナイロンであってもよく、中空又は中実とすることができ、典型的には０．１〜０．５ｍｍとすることができる。繊維毛の数は多様であってもよいが、典型的には２５０〜５００本である。非成形ブラシ部分の毛は、すべて同じ高さである必要がない。
【００２０】
組み付けられたアプリケータ
成形ブラシ部分（１４）及び非成形ブラシ部分（１５）は、別個に形成され、その後に組み付けられる。上述したように、線芯（１５ａ）の近位端（１５ｂ）及び遠位端（１５ｃ）は、毛（１５ｅ）を有さない。図７Ａを参照すると、成形ブラシ部分（１４）に非成形ブラシ部分（１５）を組み付ける際の最初の工程は、非成形ブラシ部分の遠位端（１５ｃ）を成形ブラシ部分の溝（１４ｋ）に挿入することであり、溝の長さは、線芯の遠位端（１５ｃ）の長さ（すなわち、２〜５ｍｍ）以上である。次いで、図７Ｂに示すように、成形ブラシ部分（１４）の半円筒状部材（１４ｇ）の中空空間（１４ｊ）内に線芯（１５ａ）が入れられ、非成形ブラシ部分の近位端（１５ｂ）がステム（１４ａ）の中空空間（１４ｄ）内に据えられ、中空空間の長さは線芯の近位端（１５ｂ）の長さ（すなわち、３〜６ｍｍ）以上である。図８Ａ及び図８Ｂに、完全に組み付けられたアプリケータヘッドの２つの図を示す。非成形ブラシ部分を成形ブラシ部分内に確実に留めるために、ステム（１４ａ）の中空空間（１４ｄ）には、非成形ブラシ部分（１５）の近位端（１５ｂ）をステムの中空空間内に押し込ませる１つ以上の可撓性（１４ｍ）タブが設けられ得る。一旦アプリケータヘッドが組み付けられると、成形ブラシ部分（１４）のステム（１４ａ）は、上述したようにロッド（１２）の遠位端に固定されて、マスカラアプリケータを完成させることができる。
【００２１】
組み付けられた状態では、成形ブラシ部分（１４）の長手方向軸線（Ａ−Ａ）は、非成形ブラシ部分（１５）の長手方向軸線（Ｂ−Ｂ）に平行である。合わせると、成形ブラシ部分と非成形ブラシ部分とは、３６０°全周を占める。成形ブラシ部分は、１８０°〜２００°の角度の扇形を占め、これは、米国特許第７，２３１，９２６号における整え用ブラシ部分（４）の３０°〜１２０°よりも格段に大きい。櫛部分のより大きい角度サイズにより、睫毛のより良好なグルーミング、特に、カーリングがもたらされる。
【００２２】
組み付けられたアプリケータの遠位端（１４ｉ）は、目頭付近にある睫毛をメイクアップすることを容易にするように、毛で覆われている。この特徴は、遠位端に毛が存在しない米国特許第７，２３１，９２６号のアプリケータには欠落している。
【００２３】
また、ステムの側壁（１４ｅ）内の中空空間（１４ｄ）を組み付けに用いることから、非成形ブラシの毛を中空空間（１４ｊ）の全長にわたらせることが可能となったため、米国特許第７，２３１，９２６号に存在するような、非成形ブラシ部分と成形ブラシ部分との間の隙間が存在しない。したがって、成形ブラシ部分内で非成形ブラシ部分が往復スライドすることができなくなる。
【図１】
2019517351.tif 000003
【図２】
2019517351.tif 000004
【図３】
2019517351.tif 000005
【図４Ａ】
2019517351.tif 000006
【図４Ｂ】
2019517351.tif 000007
【図５Ａ】
2019517351.tif 000008
【図５Ｂ】
2019517351.tif 000009
【図６Ａ】
2019517351.tif 000010
【図６Ｂ】
2019517351.tif 000011
【図７Ａ】
2019517351.tif 000012
【図７Ｂ】
2019517351.tif 000013
【図８Ａ】
2019517351.tif 000014
【図８Ｂ】
2019517351.tif 000015
【国際調査報告】
2019517351.tif 000016
2019517351.tif 000017